(57)【特許請求の範囲】
【請求項１】
カートリッジケース内に光ディスクを回転自在に収納したディスクカートリッジが載置装着されるように成したケーシング本体、該ケーシング本体上に設けられ前記カートリッジケースの前端縁に沿って摺動自在に取り付けられたシャッタを開いた状態で保持するシャッタストッパ、及び、前記ケーシング本体の底面上に設けられ前記光ディスクのセンターホールに摺動自在に嵌合する突起を有し前記センターホールの周囲の非記録領域の下面を受け止め支持するディスク支持体を備えたケーシングと、
前記ディスク支持体の突起に摺動自在に嵌合する嵌合凹部及び該嵌合凹部を前記突起に嵌合した状態で前記光ディスクのセンターホールの周囲の非記録領域の上面に当接するように配された滑り止め部を備えたツマミ片と、
から成り、前記ツマミ片を回転させると前記光ディスクが回転するようにした光ディスククリーニング装置において、
前記ケーシングが、ＰＤディスクカートリッジを装着可能な状態と、収納された光ディスクのセンターホールの中心点からシャッタの前端部までの長さが前記ＰＤディスクカートリッジより長いＤＶＤディスクカートリッジを装着可能な状態とを選択的にとり得るよう、前記シャッタストッパを前記ケーシング本体に移動可能に取り付けたことを特徴とする光ディスククリーニング装置。
【請求項２】
前記ケーシング本体が、ディスクカートリッジの後端面に対向する内側面を有しディスクカートリッジの後方への移動を規制する位置決め部を備え、該位置決め部の内側面に、ＤＶＤディスクカートリッジの後端面の左右両端近傍に設けられた位置決め用の凹部に入り込んで該ディスクカートリッジの後端面が前記位置決め部の内側面に当接するのを許容するとともに、ＰＤディスクカートリッジの後端面の左右両端近傍に当接して該ディスクカートリッジの後端面を前記位置決め部の内側面から所定距離離間させる一対の突起を設けたことを特徴とする請求項１に記載の光ディスククリーニング装置。
【請求項３】
カートリッジケース内に光ディスクを回転自在に収納したディスクカートリッジが載置装着されるように成したケーシング本体、該ケーシング本体上に設けられ前記カートリッジケースの前端縁に沿って摺動自在に取り付けられたシャッタを開いた状態で保持するシャッタストッパ、及び、前記ケーシング本体の底面上に設けられ前記光ディスクのセンターホールに摺動自在に嵌合する突起を有し前記センターホールの周囲の非記録領域の下面を受け止め支持するディスク支持体を備えたケーシングと、
前記ディスク支持体の突起に摺動自在に嵌合する嵌合凹部及び該嵌合凹部を前記突起に嵌合した状態で前記光ディスクのセンターホールの周囲の非記録領域の上面に当接するように配された滑り止め部を備えたツマミ片と、
から成り、前記ツマミ片を回転させると前記光ディスクが回転するようにした光ディスククリーニング装置において、
前記ケーシングが、第１のディスクカートリッジを装着可能な状態と、収納された光ディスクのセンターホールの中心点からシャッタの前端部までの長さが前記第１のディスクカートリッジより長い第２のディスクカートリッジを装着可能な状態とを選択的にとり得るよう、前記シャッタストッパを前記ケーシング本体に移動可能に取り付けたことを特徴とする光ディスククリーニング装置。
【発明の詳細な説明】
【０００１】
【発明の属する技術分野】
本発明はカートリッジケース内に光ディスクを回転自在に収納したディスクカートリッジの光ディスクをクリーニングするための装置に関するものであり、更に詳しくは、一台でＰＤディスクを収納したディスクカートリッジとＤＶＤディスクを収納したディスクカートリッジの両方に対応することができるように成した光ディスククリーニング装置に関するものである。
【０００２】
【従来の技術】
カートリッジケース内に光ディスクを回転自在に収納したディスクカートリッジの光ディスクをクリーニングするためのものとして、本願出願人は、先に図１２に示すような光ディスククリーニング装置１０１を提案した（特願平７−２２２４３８号）。なお、図１３はこの光ディスククリーニング装置１０１の要部の縦断面図、図１４は光ディスククリーニング装置１０１の使用状態を示す斜視図である。
【０００３】
この光ディスククリーニング装置１０１は、ディスクカートリッジ２０１が載置装着されるように成したケーシング本体１０４、ケーシング本体１０４上に設けられカートリッジケース２０３の前端縁に沿って摺動自在に取り付けられたシャッタ２０４に係合しシャッタ２０４を開いた状態で保持するシャッタストッパ１０５、及び、ケーシング本体１０４の底面上に設けられディスクカートリッジ２０１の光ディスク２０２のセンターホール２０２ａに摺動自在に嵌合する突起１０６ａを有しセンターホール２０２ａの周囲の円形の非記録領域２０２ｂの下面を受け止め支持するディスク支持体１０６を備えたケーシング１０２と、ディスク支持体１０６の突起１０６ａに摺動自在に嵌合する嵌合凹部１０３ａ及びこの嵌合凹部１０３ａを突起１０６ａに嵌合した状態で光ディスク２０２の非記録領域２０２ｂの上面に当接するように配された滑り止め部１０３ｂを備えたツマミ片１０３とから成り、ツマミ片１０３を回転させると光ディスク２０２が回転するように構成されている。
【０００４】
作業者はクリーニングクロス（不図示）にクリーニング液をしみ込ませ、これをケーシング１０２に装着されたディスクカートリッジ２０１の開口部２０３ａを介して光ディスク２０２の表面に押し当てる。そして、この状態でツマミ片１０３を回転させ、クリーニングクロスを光ディスク２０２の径方向にゆっくりと移動させて光ディスク２０２の表面に付着した塵埃を拭き取る。
【０００５】
【発明が解決しようとする課題】
従来より、この種の光ディスククリーニング装置は、ＰＤディスク（相変化書換可能型の光ディスクであって、ＥＣＭＡ規格(ECMA-240)として公表されている仕様を満足するもの）を収納したディスクカートリッジ（以下、ＰＤディスクカートリッジと記す）や、カートリッジケースに入っていない裸の光ディスクのクリーニングに使用されてきたが、最近のＤＶＤ（デジタル  ビデオ  ディスク）の普及に伴い、ＤＶＤディスクを収納したディスクカートリッジ（以下、ＤＶＤディスクカートリッジと記す）にも上記の光ディスククリーニング装置を利用することが要望されている。
【０００６】
ところが、ＤＶＤディスクカートリッジは、光ディスクのセンターホールの中心点からシャッタの前端部までの長さがＰＤディスクカートリッジよりも約２ｍｍ程度長くなっており、従来の光ディスククリーニング装置ではシャッタストッパ１０５がケーシング本体１０４に一体的に形成されているためＤＶＤディスクカートリッジに対応することができなかった。
【０００７】
なお、ＰＤディスクカートリッジ用の光ディスククリーニング装置とは別にＤＶＤディスクカートリッジ用の光ディスククリーニング装置を製造すると、製造者側にとっては部品の管理等に要する負担が増し、ユーザ側にとっては経済的な負担が増すとともに、二種類の光ディスククリーニング装置を使い分けなければならないため面倒であるという問題点が有る。
【０００８】
本発明は上述した問題点に鑑みてなされたものであって、その目的は、一台でＰＤディスクカートリッジとＤＶＤディスクカートリッジの両方に対応することができるように成した光ディスククリーニング装置を提供することにある。
【０００９】
【課題を解決するための手段】
上述した目的を達成するために、請求項１の光ディスククリーニング装置は、カートリッジケース内に光ディスクを回転自在に収納したディスクカートリッジが載置装着されるように成したケーシング本体、該ケーシング本体上に設けられ前記カートリッジケースの前端縁に沿って摺動自在に取り付けられたシャッタを開いた状態で保存するシャッタストッパ、及び、前記ケーシング本体の底面上に設けられ前記光ディスクのセンターホールに摺動自在に嵌合する突起を有し前記センターホールの周囲の非記録領域の下面を受け止め支持するディスク支持体を備えたケーシングと、
前記ディスク支持体の突起に摺動自在に嵌合する嵌合凹部及び該嵌合凹部を前記突起に嵌合した状態で前記光ディスクのセンターホールの周囲の非記録領域の上面に当接するように配された滑り止め部を備えたツマミ片と、
から成り、前記ツマミ片を回転させると前記光ディスクが回転するようにした光ディスククリーニング装置において、
前記ケーシングが、ＰＤディスクカートリッジを装着可能な状態と、収納された光ディスクのセンターホールの中心点からシャッタの前端部までの長さが前記ＰＤディスクカートリッジより長いＤＶＤディスクカートリッジを装着可能な状態とを選択的にとり得るよう、前記シャッタストッパを前記ケーシング本体に移動可能に取り付けたことを特徴とするものである。
【００１０】
また、請求項２の光ディスククリーニング装置は、請求項１の光ディスククリーニング装置において、前記ケーシング本体が、ディスクカートリッジの後端面に対向する内側面を有しディスクカートリッジの後方への移動を規制する位置決め部を備え、該位置決め部の内側面に、ＤＶＤディスクカートリッジの後端面の左右両端近傍に設けられた位置決め用の凹部に入り込んで該ディスクカートリッジの後端面が前記位置決め部の内側面に当接するのを許容するとともに、ＰＤディスクカートリッジの後端面の左右両端近傍に当接して該ディスクカートリッジの後端面を前記位置決め部の内側面から所定距離離間させる一対の突起を設けたことを特徴とするものである。
【００１１】
【発明の実施の形態】
以下、本発明の具体的な実施形態を図面を参照しながら説明する。
図１は本発明の一実施形態である光ディスククリーニング装置１の斜視図、図２は光ディスククリーニング装置１の要部の縦断面図、図３はケーシング２の平面図、図４は図３の要部の拡大図、図５は図４のＡ−Ａ’線断面図、図６は図４のＢ−Ｂ’線断面図、図７はケーシング本体４の要部の平面図、図８は図７の裏面図、図９はシャッタストッパ５を分解した状態を示す斜視図、図１０はケーシング２にＰＤディスクカートリッジ２０１を装着した状態を示す平面図、図１１はケーシング２にＤＶＤディスクカートリッジ３０１を装着した状態を示す平面図である。
【００１２】
この光ディスククリーニング装置１は、ＰＤディスクディスクカートリッジ（５インチ）、ＤＶＤディスクカートリッジ（５インチ）、及び、カートリッジケースに入っていない裸の光ディスク（５インチまたはそれ以下）をクリーニングするためのものであって、図１に示すように、合成樹脂射出成形品のケーシング２と合成樹脂射出成形品のツマミ片３とから成り、ケーシング２は、ケーシング本体４と、ケーシング本体４の前端部に設けられたシャッタストッパ５と、ケーシング本体４の底面の中央部に設けられたディスク支持体６とを備えている。
【００１３】
ケーシング本体４は、例えばポリカーボネート、ＡＢＳ等の適度の剛性を有する材質から成り、図３に示すように、略矩形の底壁４ａと、この底壁４ａの両側辺に沿って垂直上方に向けて延びるように形成された一対の側壁４ｂ、４ｂと、底壁４ａの後端辺に沿って垂直上方に向けて延びるように形成された後端壁（位置決め部）４ｃとを有している。
【００１４】
底壁４ａはＰＤディスクカートリッジ２０１（図１０参照）、ＤＶＤディスクカートリッジ３０１（図１１参照）を載置し得る大きさになっている。側壁４ｂ、４ｂの内側面間の間隔はディスクカートリッジ２０１、３０１の横方向の幅に対応しており、側壁４ｂ、４ｂによってディスクカートリッジ２０１、３０１の横方向の移動が規制される。後端壁４ｃの内側面とこれに対向するシャッタストッパ５の内側面との間隔は、図１１に示すように、ＤＶＤディスクカートリッジ３０１の前後方向の幅に対応しており、後端壁４ｃ及びシャッタストッパ５によってディスクカートリッジ３０１の前後方向の移動が規制される。
【００１５】
後端壁４ｃは、内側面に、ＤＶＤディスクカートリッジ３０１の後端面の左右両端近傍に設けられた位置決め用の凹部（不図示）に対応する位置に設けられた一対の突起７、７を有している。この突起７、７は前記凹部に完全に入り込むように形成されており、これによってＤＶＤディスクカートリッジ３０１の後端面が後端壁４ｃの内側面に当接するのを許容する。
【００１６】
一方、ＰＤディスクカートリッジ２０１の後端面における突起７、７に対応する位置には凹部が設けられていないため、図１０に示すように突起７、７はＰＤディスクカートリッジ２０１の後端面に当接し、これによってＰＤディスクカートリッジ２０１の後端面が後端壁４ｃの内側面から突起７、７の高さ分だけ離間する。突起７、７の先端面とこれに対向するシャッタストッパ５の内側面との間隔はＰＤディスクカートリッジ２０１の前後方向の幅に対応しており、突起７、７及びシャッタストッパ５によってディスクカートリッジ２０１の前後方向の移動が規制される。
【００１７】
シャッタストッパ５はポリアセータール等から成り、図９に示すように、シャッタストッパ本体８と固定用部材９とから成っている。シャッタストッパ本体８は、矩形の台座８ａと、この台座８ａの上面から垂直上方に向けて延びるように形成された断面矩形の角柱状の直軸部８ｂと、台座８ａの上面に直軸部８ｂを挟んで対称に設けられた一対のドーム状の係合凸部８ｃ、８ｃ（図５参照）とを有している。固定用部材９は断面五角形の角柱状に形成され、シャッタストッパ本体８の直軸部８ｂに嵌合する断面矩形の嵌合凹部９ａ（図５、６参照）が下面から上方に向けて延びるように形成されている。
【００１８】
図４に示すように、ケーシング本体４の底壁４ａの上面には、シャッタストッパ５の固定用部材９を前後方向に摺動自在に案内する浅い凹部１０が形成されている。この凹部１０内には、シャッタストッパ本体８の直軸部８ｂを挿通させ、これを前後方向に摺動自在に案内する貫通孔１１が形成されている（図７参照）。図８に示すように、凹部１０の裏側には、シャッタストッパ本体８の台座８ａを前後方向に摺動自在に案内するコの字形のリブ１２（図５、６参照）が形成されている。
【００１９】
また、貫通孔１１の両側には、シャッタストッパ本体８の係合凸部８ｃ、８ｃにスナップ係合してシャッタストッパ本体８を係止する前後二対の球面状の係合凹部１３Ａ、１３Ａ、及び１３Ｂ、１３Ｂが形成されている。係合凸部８ｃ、８ｃが係合凹部１３Ｂ、１３Ｂに係合したときは、図１０に示すように、シャッタストッパ５がＰＤディスクカートリッジ２０１のシャッタ２０４に係合する位置に係止され、係合凸部８ｃ、８ｃが係合凹部１３Ａ、１３Ａに係合したときは、図１１に示すように、シャッタストッパ５がＤＶＤディスクカートリッジ３０１のシャッタ３０４に係合する位置に係止されるようになっている。
【００２０】
ディスク支持体６は、ポリアセタール、高密度ポリエチレン等、光ディスク（ポリカーボネート）とは異なる材質であって、光ディスクとの摺動適性に優れたものから成り、図２に示すように、ケーシング本体４の底面上に形成された凸部４ｄに嵌着されている。なお、ディスク支持体６はケーシング本体４に一体的に形成しても良い。ディスク支持体６は、上面中央部に、光ディスク２０２、３０２のセンターホール２０２ａ、３０２ａに摺動自在に嵌合する突起６ａを有しセンターホール２０２ａ、３０２ａの周囲の円形の非記録領域２０２ｂ、３０２ｂの下面を受け止め支持するように形成されている。ディスク支持体６の上面には、光ディスクの滑りを良くするための微細な凹凸加工（マット加工）が施されている。
【００２１】
ツマミ片３は高密度ポリエチレン等から成り、図２に示すように、ツマミ片本体１４と、このツマミ片本体１４の上面に嵌着された蓋体１５とから成っている。ツマミ片本体１４は、下面にディスク支持体６の突起６ａに摺動自在に嵌合する嵌合凹部１４ａと、その周囲に配されたワッシャ状の滑り止め部１４ｂとを備えている。滑り止め部１４ｂは、シリコンラバー等から成り、その外径は非記録領域２０２ｂ、３０２ｂの直径よりも小さく、ツマミ片本体１４の下面から突出するようにツマミ片本体１４の下面に埋設されている。したがって、嵌合凹部１４ａをディスク支持体６の突起６ａに嵌合すると、滑り止め部１４ｂが非記録領域２０２ｂ、３０２ｂの上面に当接する。滑り止め部１４ｂの表面の摩擦係数はディスク支持体６の上面の摩擦係数よりも大きく、ツマミ片３を回転させると光ディスクが回転する。
【００２２】
次に、上記のように構成された光ディスククリーニング装置１の使用方法を説明する。
最初にＰＤディスクカートリッジをクリーニングする場合について説明する。ケーシング２のシャッタストッパ５を後端側に移動させ、シャッタストッパ本体８の係合凸部８ｃ、８ｃをケーシング本体４の底壁４ａの裏面の係合凹部１３Ｂ、１３Ｂに係合させてシャッタストッパ５を係止する。次に、ＰＤディスクカートリッジ２０１のシャッタ２０４を開け、シャッタ２０４を開いた状態に保持しつつディスクカートリッジ２０１の後端側を斜め下方に向けてケーシング２内に挿入し、ディスクカートリッジ２０１の後端面をケーシング２の後端壁４ｃの突起７、７に押し付ける。
【００２３】
そして、ディスクカートリッジ２０１の前端側を降ろしてディスクカートリッジ２０１をケーシング２の底面上に載置する。これにより、光ディスク２０２のセンターホール２０２ａにディスク支持体６の突起６ａが係合し、センターホール２０２ａの周囲の非記録領域２０２ｂの下面がディスク支持体６によって受け止め支持されるとともに、シャッタ２０４にシャッタストッパ５が係合し、シャッタ２０４が開いた状態でディスクカートリッジ２０１がケーシング２に装着される（図１０参照）。
【００２４】
次に、ツマミ片３の嵌合凹部１４ａをディスク支持体６の突起６ａに嵌合する。これにより、ツマミ片３の滑り止め部１４ｂが光ディスク２０２の非記録領域２０２ｂの上面に当接した状態となる。ツマミ片３を回転させると光ディスク２０２が回転するので、クリーニング液を浸み込ませたクリーニングクロスを光ディスク２０２の表面に押し当ててゆっくりと光ディスク２０２の径方向に移動させ、光ディスク２０２の表面に付着した塵埃を拭き取る。
【００２５】
次に、ＤＶＤディスクカートリッジをクリーニングする場合について説明する。
ケーシング２のシャッタストッパ５を前端側に移動させ、シャッタストッパ本体８の係合凸部８ｃ、８ｃをケーシング本体４の底壁４ａの裏面の係合凹部１３Ａ、１３Ａに係合させてシャッタストッパ５を係止する。次に、ディスクカートリッジ３０１のシャッタ３０４を開け、シャッタ３０４を開いた状態に保持しつつディスクカートリッジ３０１の後端側を斜め下方に向けてケーシング２内に挿入し、ディスクカートリッジ３０１の後端面の両端に設けられた位置決め用の凹部をケーシング２の後端壁４ｃの突起７、７に挿入し、ディスクカートリッジ３０１の後端面を後端壁４ｃの内側面に押し付ける。
【００２６】
そして、ディスクカートリッジ３０１の前端側を降ろしてディスクカートリッジ３０１をケーシング２の底面上に載置する。これにより、光ディスク３０２のセンターホール３０２ａにディスク支持体６の突起６ａが係合し、センターホール３０２ａの周囲の非記録領域３０２ｂの下面がディスク支持体６によって受け止め支持されるとともに、シャッタ３０４にシャッタストッパ５が係合し、シャッタ２０４が開いた状態でディスクカートリッジ３０１がケーシング２に装着される（図１１参照）。次に、ツマミ片３の嵌合凹部１４ａをディスク支持体６の突起６ａに嵌合し、上記と同様の手順で光ディスク３０２をクリーニングする。
【００２７】
カートリッジケースに収納されていない裸の光ディスクをクリーニングする場合には、光ディスクのセンターホールをディスク支持体６の突起６ａに嵌合し、光ディスクのセンターホールの周囲の非記録領域の下面をディスク支持体６によって受け止め支持させる。次に、ツマミ片３の嵌合凹部１４ａをディスク支持体６の突起６ａに嵌合し、上記と同様の手順で光ディスクをクリーニングする。
【００２８】
なお、上記実施形態では、ケーシング２に突起７、７を設け、ＰＤディスクカートリッジ２０１の後端面を突起７、７に押し付け当接することによりＰＤディスクカートリッジ２０１の後端面が後端壁４ｃの内側面から突起７、７の高さ分だけ離間し、ＰＤディスクカートリッジを前後方向に容易に位置決めできるように好ましい例を挙げて説明しているが、突起７、７は無くても良い。
また、本発明でいう光ディスクとは、一般に光磁気ディスクと呼ばれるもの等も含むものである。
【００２９】
【発明の効果】
以上説明したように本発明の光ディスククリーニング装置は、ケーシングがＰＤディスクカートリッジを装着可能な状態と、収納された光ディスクのセンターホールの中心点からシャッタの前端部までの長さが前記ＰＤディスクカートリッジより長いＤＶＤディスクカートリッジを装着可能な状態とを選択的にとることができるよう、シャッタストッパをケーシング本体に移動可能に取り付けたことにより、一台でＰＤディスクカートリッジとＤＶＤディスクの両方をクリーニングすることができる。
【００３０】
請求項２の光ディスククリーニング装置は、ＰＤディスクカートリッジをケーシングに装着する際にＰＤディスクカートリッジの後端面をケーシングの位置決め部の突起に押し付けることにより、ＰＤディスクカートリッジを容易に位置決めすることができるため、作業性が向上する。
【図面の簡単な説明】
【図１】  本発明の一実施形態である光ディスククリーニング装置１の斜視図。
【図２】  光ディスククリーニング装置１の要部の縦断面図。
【図３】  ケーシング２の平面図。
【図４】  図３の要部の拡大図。
【図５】  図４のＡ−Ａ’線断面図。
【図６】  図４のＢ−Ｂ’線断面図。
【図７】  ケーシング本体４の要部の平面図。
【図８】  図７の裏面図。
【図９】  シャッタストッパ５の分解斜視図。
【図１０】  ケーシング２にＰＤディスクカートリッジ２０１を装着した状態を示す平面図。
【図１１】  ケーシング２にＤＶＤディスクカートリッジ３０１を装着した状態を示す平面図。
【図１２】  従来の光ディスククリーニング装置１０１の斜視図。
【図１３】  光ディスククリーニング装置１０１の要部の縦断面図。
【図１４】  光ディスククリーニング装置１０１の使用状態を示す斜視図。
【符号の説明】
１  光ディスククリーニング装置
２  ケーシング
３  ツマミ片
４  ケーシング本体
５  シャッタストッパ
６  ディスク支持体
２０１  ＰＤディスクカートリッジ
２０２  光ディスク
２０３  カートリッジケース
２０４  シャッタ
３０１  ＤＶＤディスクカートリッジ
３０２  光ディスク
３０３  カートリッジケース
３０４  シャッタ
【図１】
0003664870.tif 000002
【図２】
0003664870.tif 000003
【図３】
0003664870.tif 000004
【図４】
0003664870.tif 000005
【図５】
0003664870.tif 000006
【図６】
0003664870.tif 000007
【図７】
0003664870.tif 000008
【図８】
0003664870.tif 000009
【図９】
0003664870.tif 000010
【図１０】
0003664870.tif 000011
【図１１】
0003664870.tif 000012
【図１２】
0003664870.tif 000013
【図１３】
0003664870.tif 000014
【図１４】
0003664870.tif 000015